(57)【特許請求の範囲】
【請求項１】
入力したｎ値階調を有する連続階調の画像データに、複数の色版用の閾値マトリクスを対応させて、ｍ（２≦ｍ＜ｎ）値の複数の色版のスクリーンを作成し、作成した複数の色版のスクリーンを重畳することでカラー画像を再現するカラー画像再現方法において、
前記複数の色版のスクリーンのうち、少なくとも１つの色版のスクリーンはＦＭスクリーンであり、
色版のスクリーンの解像度を、ＡＭスクリーンではスクリーン線数として、ＦＭスクリーンではパターン周波数としてそれぞれ定義するとき、前記複数の色版のスクリーン中、視感度の高い色版のスクリーンに対しては、他の色版のスクリーンに比較して解像度の粗いスクリーンを用いる
ことを特徴とするカラー画像再現方法。
【請求項２】
請求項１記載のカラー画像再現方法において、
前記複数の色版のスクリーンは、ＦＭスクリーンである
ことを特徴とするカラー画像再現方法。
【請求項３】
請求項１記載のカラー画像再現方法において、
前記視感度の高い色版のスクリーンはＡＭスクリーンであり、前記他の色版のスクリーンはＦＭスクリーンである
ことを特徴とするカラー画像再現方法。
【請求項４】
請求項１又は３に記載のカラー画像再現方法において、
前記視感度の高い色版がＡＭスクリーンであるとき、このＡＭスクリーンのスクリーン線数は、１７５［ＬＰＩ］〜３００［ＬＰＩ］である
ことを特徴とするカラー画像再現方法。
【請求項５】
請求項１〜４のいずれか１項に記載のカラー画像再現方法において、
前記視感度の高い色版は、Ｋ色版である
ことを特徴とするカラー画像再現方法。
【発明の詳細な説明】
【技術分野】
【０００１】
この発明は、入力したｎ値階調を有する連続階調の画像データに、複数の色版用の閾値マトリクスを対応させて、ｍ（２≦ｍ＜ｎ）値の複数の色版のスクリーンを作成し、作成した複数の色版のスクリーンを重畳することでカラー画像を再現するカラー画像再現方法に関し、例えばフイルムセッター、プレートセッター、ＣＴＰ（Computer to Plate）装置、ＣＴＣ（Computer to Cylinder）装置、ＤＤＣＰ（Direct Digital Color Proof）システム等の印刷分野機器（出力システム）、その他インクジェットプリンタあるいは電子写真プリンタに適用して好適なカラー画像再現方法に関する。
【背景技術】
【０００２】
従来から、印刷分野では、階調再現を面積変調により実現する場合、スクリーン線数、網角度、網点形状で特徴付けられ、網点の大きさを変調することで階調を表現する、いわゆるＡＭ（振幅変調）スクリーンの他、一定サイズの微小なドットを擬似ランダムに配置し、ドットの密度で階調を表現する、いわゆるＦＭ（周波数変調）スクリーンが採用されている（特許文献１）。
【０００３】
この特許文献１に係る技術では、ＣＭＹＫの４色版のスクリーンを重畳させてカラー画像を再現する際に、比較的薄い色であるＹ色版には微小ドットのＦＭスクリーンを使用し、Ｙ色版に比較して濃い色であるＣＭＫ色版には網角度を３０゜間隔にしたＡＭスクリーンを使用することで、ＦＭスクリーンの使用によるざらつき感が最小に抑制され、かつＣＭＫ色版のＡＭスクリーンのロゼッタの最適化を図ることでモアレの発生が抑制されたデジタル階調画像による印刷物が得られるとされている。
【０００４】
なお、スクリーンの解像度の意味に関しては、特許文献２を参照して後述する。
【０００５】
また、この発明に係るＡＭスクリーンのスクリーン線数と網角度との必要な関係については、特許文献３を参照して後述する。
【０００６】
【特許文献１】特開平１１−１４６１８９号公報（段落［００２８］）
【特許文献２】特開２００５−２５２８８８号公報
【特許文献３】特開２００２−３６９０１７号公報
【発明の開示】
【発明が解決しようとする課題】
【０００７】
ところで、近時、画像（絵柄）のディテールの再現性を向上させたより高精細で、色が鮮やかでより高彩度で、モアレ発生のほとんどない高画質なカラー画像に対する市場の要求がある。
【０００８】
しかしながら、上述した従来技術に係る、ＣＭＫ色版にＡＭスクリーンを使用し、Ｙ色版にＦＭスクリーンを使用するカラー画像の再現方法では、特に、ＣＭＫ色版に係わる絵柄の高精細化、高彩度化が困難である。
【０００９】
絵柄の高精細化、高彩度化を図るために、ＣＭＹＫ色版でＦＭスクリーンを使用することが効果的であるが、通常のＣＭＹＫの４色版ともＦＭスクリーンでは、画像を再現する際に、ざらつきと大面積の均一濃度画像等でのムラとが目立つ場合がある。
【００１０】
なお、ＣＭＹＫの４色版とも通常の線数を用いたＡＭスクリーンでは、ざらつきとムラは目立たないが、絵柄の高精細化、高彩度化は困難であり、また、ＣＭＫ色のスクリーンの網角度を３０゜間隔としても、Ｙ色を３０゜間隔に配することができないので、Ｙ色とＣＭＫ色の間でのモアレが残る。
【００１１】
この発明は、このような課題を考慮してなされたものであり、高精細化・高彩度化が可能で、ムラの低減が可能なカラー画像を再現することを可能とするカラー画像再現方法を提供することを目的とする。
【００１２】
また、この発明は、高精細化・高彩度化が可能で、ムラ及びざらつきの低減が可能なカラー画像を再現することを可能とするカラー画像再現方法を提供することを目的とする。
【００１３】
さらに、この発明は、高精細ＡＭスクリーンにおけるムラを低減可能なカラー画像再現方法を提供することを目的とする。
【課題を解決するための手段】
【００１４】
この発明では、視感度、すなわち、人間の目が光を見たときに明るく感じる程度が光の色によって異なることに着目してスクリーンを選択している。
【００１５】
図１は、国際照明委員会（ＣＩＥ）による光の各波長毎に、人間の目が光りを見たときに感じる感度（視感度）を正規化した分光視感効率（便宜的に視感度特性ともいう。）１０を示している。視感度特性１０から、視感度は、波長５５５［ｎｍ］の緑色付近にピークがあり、線対称とはなっていないが概ね正規分布状の特性になっていることが分かる。
【００１６】
図２は、図１に示した視感度特性１０と、各色の分光スペクトル（反射率）とを重畳して描いた説明図を示している。図示していないが、Ｋ色は、反射率＝０である。
【００１７】
減法混色によって色再現を行う場合、一般に減法混色では、Ｃ色、Ｍ色、Ｙ色の色版（ＣＭＹ色版）が使用される。また印刷物では、Ｋ色版も使用される。この発明では、階調再現を面積変調により実現することを前提としているが、この場合に、視感度の高い色版（色分版）という概念を導入している。視感度の高い色版（色分版ともいう。）とは、紙の白（Ｗｈｉｔｅ）色に対して絵柄が再現される網点（ＡＭスクリーン）の着色部又はドット（ＦＭスクリーン）の着色部のコントラストが高いものをいう。
【００１８】
そこで、この発明に係るカラー画像再現方法は、入力したｎ値階調を有する連続階調の画像データに、複数の色版用の閾値マトリクスを対応させて、ｍ（２≦ｍ＜ｎ）値の複数の色版のスクリーンを作成し、作成した複数の色版のスクリーンを重畳することでカラー画像を再現するカラー画像再現方法において、以下の特徴（１）〜（６）を有する。
【００１９】
特徴（１）：前記複数の色版のスクリーン中、視感度の高い色版のスクリーンに対しては、他の色版のスクリーンに比較して解像度の粗いスクリーンを用いることを特徴とする。
【００２０】
なお、ここで解像度とは、スクリーンがＡＭスクリーンであるとき、線数を意味し、スクリーンがＦＭスクリーンであるとき、パターン周波数を意味する。ＦＭスクリーンのパターン周波数について、特開２００５−２５２８８８号公報を参照して説明する。
【００２１】
公知のアルゴリズムを用いてＦＭスクリーンを作成すると、１（１×１）画素ＦＭスクリーン、４（２×２）画素ＦＭスクリーンのように、構成画素数が１画素からなるドット、あるいは４画素からなるドットのようにドットサイズが決定されると、閾値マトリクスを構成する閾値の配列が決定されて出力品質が決定し、ドットサイズのみが、ＦＭスクリーンの品質を決めるパラメータになっている。例えば、ハイライト側で２×２画素ＦＭスクリーンのドットを安定して再現することができない出力システムに対して、ドットサイズを３×３画素ＦＭスクリーンに決定すると、中間調（網％で１０［％］〜５０［％］）の解像度（パターン周波数あるいはパターン解像度という。）が低下し画像品質が低下する。
【００２２】
図３には、ドットサイズが２×２画素ＦＭスクリーンの網パーセントが５［％］のハイライトＨＬ側でのドットパターン１と、網パーセントが５０［％］の中間調でのドットパターン２を示すとともに、ドットサイズが３×３画素ＦＭスクリーンの網パーセントが５［％］のハイライトＨＬ側でのドットパターン３と、網パーセントが５０［％］の中間調でのドットパターン４を示している。
【００２３】
図４は、図３の２×２画素ＦＭスクリーンのドットパターン２に対してＦＦＴ（高速フーリエ変換）をかけた場合のパワー図を示し、図５は、図３の３×３画素ＦＭスクリーンのドットパターン４に対してＦＦＴをかけた場合のパワー図を示している。
【００２４】
図３中、中間調の５０％において、２×２画素ＦＭスクリーンのドットパターン２は、３×３画素ＦＭスクリーンのドットパターン４に比較してざらつきは少ないが、網％の印刷への再現性は悪い。その一方、中間調の５０％において、３×３画素ＦＭスクリーンのドットパターン４のパターン周波数６は約１３［ｃ／ｍｍ］であり、２×２画素ＦＭスクリーンのドットパターン２のパターン周波数５である約２０［ｃ／ｍｍ］に比較して低くなる。ここで、ピーク値のパターン周波数６、５は、それぞれピーク空間周波数ｆｐｅａｋとも呼ぶ。パターン周波数が低いほど、ＦＭスクリーンの解像度が粗いといえる。
【００２５】
すなわち、ＦＭスクリーンの解像度は、パターン周波数で表現することができる。なお、ＡＭスクリーンの解像度は、上述したようにスクリーン線数に対応する。
【００２６】
なお、近似する用語の意味の混乱を回避するために、上記スクリーンの解像度とは異なる概念の出力解像度について説明する。イメージセッタ及びＣＴＰ装置等の出力システムの出力解像度（以下、出力システムの解像度を出力解像度Ｒという。）は、例えば２５４０［画素／インチ＝ＤＰＩ（Ｄｏｔｓ  Ｐｅｒ  Ｉｎｃｈ）］＝１００［画素／ｍｍ］、あるいは２４００［ＤＰＩ］＝９４．４８８［画素／ｍｍ］）のように設定されているが、この場合、１×１画素ＦＭスクリーンのドットサイズが２５４０［ＤＰＩ］では、１０［μｍ］×１０［μｍ］、２４００［ＤＰＩ］では、１０．６［μｍ］×１０．６［μｍ］となり、２×２画素ＦＭスクリーンのドットサイズが２５４０［ＤＰＩ］では、２０［μｍ］×２０［μｍ］、２４００［ＤＰＩ］では、２１．２［μｍ］×２１．２［μｍ］になる。すなわち、出力解像度Ｒとパターン周波数５、６とは異なる。
【００２７】
以上の説明がＦＭスクリーンの解像度を表すパターン周波数並びに出力解像度等についての説明である。
【００２８】
そして、この特徴（１）を有する発明によれば、複数の色版のスクリーン中、視感度の高い色版のスクリーンに対しては、他の色版のスクリーンに比較して解像度の粗いスクリーンを用いるようにしているので、ムラが視認しにくい、換言すれば、ムラが低減されたカラー画像を再現することができる。
【００２９】
特徴（２）：上記特徴（１）を有する発明において、前記複数の色版のスクリーンを、ＦＭスクリーンとすることで、ムラが低減されて、高精細・高彩度なカラー画像を再現することができる。
【００３０】
特徴（３）：上記特徴（１）を有する発明において、前記複数の色版のスクリーンが、ＡＭスクリーンであっても、ムラが低減されて、高精細・高彩度なカラー画像を再現することができる。
【００３１】
特徴（４）：上記特徴（１）を有する発明において、前記視感度の高い色版のスクリーンをＡＭスクリーンとし、他の色版をＦＭスクリーンとすることで、ざらつきとムラが視認しにくい、換言すれば、ざらつきとムラが低減されて、高精細・高彩度なカラー画像を再現することができる。
【００３２】
なお、視感度の高い色版について、図２を参照して具体的に説明すると、紙の白（Ｗｈｉｔｅ）色に対して、網点（ＡＭスクリーン）の着色部（描画部、又は黒化部ともいう。）又はドット（ＦＭスクリーン）の着色部のコントラストが高いものが、視感度が高いといえる。
【００３３】
図２により、ＣＭＹＫ色について考慮すると、紙の白色に対して全波長に反射率（分布）を持たないＫ色版（図２には記載していないが反射率０）が最も視感度が高く、視感度の高い５５０［ｎｍ］の成分が小さいＭ色版が２番目に視感度が高く、以下、Ｃ色版、Ｙ色版となるが、他の複数の色版を用いる場合にも、同様に考えることができる。
【００３４】
例えば、ＣＭＫの３色版、ＣＭＹＫの４色版等、Ｋ色版を含んで色再現を行うとき、前記視感度の高い色版として、Ｋ色版を選択することが好ましい。
【００３５】
特徴（５）：上記の特徴（１）〜（４）のいずれかにおいて、視感度の高い色は、Ｋ色版とする。このように解像度の粗いスクリーンに視感度の高いＫ色版のスクリーンを用いることでムラを低減することができる。特徴（５）と特徴（１）〜（３）のいずれかを有する発明において、ムラを低減でき、特徴（５）と特徴（４）を有する発明において、ムラとざらつきを低減することができる。
【００３６】
また、Ｋ色版を含まないＣＭＹの３色版を用いてカラー画像を再現する際には、視感度の高いＭ色版のスクリーンを解像度の粗いスクリーンを用いる。
【００３７】
さらにまた、ＣＭＹＫＲ（Ｒｅｄ）Ｇ（Ｇｒｅｅｎ）Ｂ（Ｂｌｕｅ）色版を用いてカラー画像を再現するとき、例えば、視感度の高いＫ色版とＢ色版とＭ色版のスクリーンを解像度の粗いスクリーンとすることもこの発明に含まれる。
【００３８】
特徴（６）：上記の特徴（１）又は特徴（３）〜（５）を有するいずれかの発明において、前記視感度の高い色版がＡＭスクリーンであるとき、スクリーン線数は、１７５［ＬＰＩ（Ｌｉｎｅｓ  Ｐｅｒ  Ｉｎｃｈ）］〜３００［ＬＰＩ］とする。
【００３９】
１７５［ＬＰＩ］〜３００［ＬＰＩ］の数値制限の根拠について説明する。
【００４０】
通常使用されているオフセット印刷では、ドットゲイン量(刷版上の網％と印刷物上の網％)が印刷の容易さ(ムラの発生しやすさ)を表わす指標になると考えられている。すなわち、ドットゲイン量の大きいものは、ある変動(インクの粘度変化等)が生じた際の面積の変動量も大きいと推測される。
【００４１】
このことは以下に述べる周囲長を考えることによって説明することができる。
【００４２】
周囲長とは、ドットパターン（ＡＭスクリーンの網点パターンとＦＭスクリーンのドットパターンを含む。）の単位面積当たりの描画境界（白黒境界）の長さの総和をいう。
【００４３】
例として示す図６Ａ、図６Ｂの同一面積で同一描画％（網％と考えることができる。）のドットパターン１００、１０４から分かるように、ドットパターン１００は、１辺の長さをＬとすれば、周囲４Ｌの１×１画素ドット１０２が８個含まれているので、周囲長３２Ｌとなる（面積は８Ｌ2）。一方、ドットパターン１０４は、辺の長さ２Ｌ、周囲８Ｌの２×２画素ドット１０６が２個含まれているので、周囲長が１６Ｌ（面積は８Ｌ2）となる。
【００４４】
すなわち、ドットパターン１００を構成する８個のドット１０２の総面積と、ドットパターン１０４を構成する２個のドット１０６の総面積は同一であるが周囲長が異なる。換言すれば、ドットパターン１００とドットパターン１０４の網％は同一であるが、単位面積当たりのドットパターンの描画境界の長さの総和、すなわち周囲長（ドット周囲長ともいう。）は、ドットパターン１０４が、ドットパターン１００に比べて半分の長さになることが分かる。
【００４５】
この場合、周囲長３２Ｌのドットパターン１００がドットゲインによって、例えば、網％が＋１０［％］太るような変動が発生した場合、周囲長１６Ｌのドットパターン１０４では、網％が＋５［％］程度となることが予測される。
【００４６】
このようにドットゲイン量等の安定性を示す各種変動量は、略ドットパターン周囲長に比例するものと考えられる。
【００４７】
また、ＡＭスクリーンの網点では、ドットゲイン量等の安定性を示す各種変動量は、網点のスクリーン線数に比例する。
【００４８】
一般に、より高解像度のドットパターンを作成しようとすると、ドットを構成する画素数が少なくなって、周囲長が増加し、各種安定性が悪化する。
【００４９】
したがって、ドットパターンの解像度が同一であれば、ドット周囲長の短いドットパターンが高性能のドットパターンであるといえる。
【００５０】
そして、ＡＭスクリーンの網点では、標準で線数として１７５［ＬＰＩ］が用いられているが、条件管理を行えば３００［ＬＰＩ］程度までは大きな問題なく印刷可能といわれている。
【００５１】
図７に示すように、線数が低ければ低いほど印刷がし易く（印刷適性がよく）ムラが発生しにくいが、線数が低い場合には、網点構造が視認されてしまい、画質が劣化する。したがって、１７５［ＬＰＩ］以下では高品位（高精細かつ高画質）な印刷物を作成することが難しい。一般に高品質なＦＭスクリーンでは、周囲長はＡＭスクリーンの４００［ＬＰＩ］〜６００［ＬＰＩ］に相当し印刷が難しい（印刷適性が良くない）。
【００５２】
そこで、視感度の高い色版がＡＭスクリーンであるとき、スクリーン線数は、１７５［ＬＰＩ］〜３００［ＬＰＩ］程度が好ましい。
【発明の効果】
【００５３】
この発明によれば、高精細化・高彩度化が可能で、ムラの低減が可能なカラー画像を再現することができる。
【００５４】
また、この発明によれば、高精細化・高彩度化が可能で、ムラ及びざらつきの低減が可能なカラー画像を再現することができる。
【００５５】
さらに、この発明によれば、ムラの発生のほとんどない高精細なＡＭスクリーンによるカラー画像を再現することができる。
【発明を実施するための最良の形態】
【００５６】
以下、この発明の実施形態について図面を参照して説明する。
【００５７】
図８は、この発明に係るカラー画像の再現方法が適用された印刷・製版システム２００を示している。
【００５８】
この印刷・製版システム２００では、撮像装置としてのデジタルカメラ２０２により被写体（原稿画像）から取り込まれたＲＧＢ画像データあるいはスキャナ（画像読取装置）としての製版入力機２０４により原稿画像から取り込まれたＲＧＢ画像データ（又はＣＭＹＫ画像データ）が、ＲＩＰ（ラスタイメージプロセッサ）２０６に供給され、ＲＧＢ画像データは、一旦ＣＭＹＫ画像データに変換される。
【００５９】
この場合、ＲＩＰ２０６には、ＡＭスクリーン及びＦＭスクリーン用についてそれぞれ複数の色版用の閾値マトリクスデータが予め格納されている。また、ＲＩＰ２０６には、スクリーン線数、網角度、パターン周波数、ＡＭスクリーンかＦＭスクリーンかの区別等、所望の閾値マトリクスを選択するための出力条件設定用、画像確認用等に利用されるパーソナルコンピュータ２０５が接続されている。
【００６０】
ＲＩＰ２０６は、それぞれがｎ値（例えばｎ＝２５６）階調を有するの連続階調の画像データであるＣＭＹＫ各画像データと、対応するＣＭＹＫ色版用の閾値マトリクスを対応させて値を比較し、ｍ（２≦ｍ＜ｎ）値のＣＭＹＫ色版のスクリーンに対応するＣＭＹＫドットパターンデータに変換する。
【００６１】
ＣＭＹＫドットパターンデータは、いわゆるＤＤＣＰ（実網プルーファともいう。）２１０に送られて、紙上に印刷プルーフＰＲａが作成される。このＤＤＣＰ２１０により、印刷機２２０にかける前に、ノイズ成分の混入の有無、印刷品質が確認される。この場合には、紙として印刷用紙自体が使用される場合がある。
【００６２】
また、ＲＩＰ２０６からカラーインクジェットプリンタ２３０ｃ１あるいはカラー電子写真プリンタ２３０ｃ２にＣＭＹＫドットパターンデータが送られて、簡易的に紙上に印刷プルーフＰＲｂ、ＰＲｃを作成することができる。
【００６３】
さらにＣＭＹＫ各ドットパターンデータは、ＣＴＣ装置等の出力システムを構成する、フイルムセッターあるいはプレートセッターである露光ユニット２２６に送られる。露光ユニット２２６がフイルムセッターである場合には、自動現像機２２８を介してフイルムＦが作成され、このフイルムＦが刷版用の印刷版材と重ねられ、図示しない面露光装置で露光されることで刷版ＰＰが作成される。また、露光ユニット２２６がプレートセッターである場合には、自動現像機２２８を通じて刷版ＰＰが直接出力される。なお、露光ユニット２２６に対して感光材料（印刷版材含む）のマガジン２１２から印刷版材ＥＭ等が供給される。
【００６４】
ＣＭＹＫの各刷版ＰＰは、印刷機２２０を構成するＫ色版印刷部２１４Ｋ、Ｃ色版印刷部２１４Ｃ、Ｍ色版印刷部２１４Ｍ、Ｙ色版印刷部２１４Ｙの図示していない版胴に装着される。印刷用紙供給部２１６から供給される印刷用紙に対して、Ｋ色版印刷部２１４Ｋ、Ｃ色版印刷部２１４Ｃ、Ｍ色版印刷部２１４Ｍ、Ｙ色版印刷部２１４Ｙで重ね刷りされることで、カラー画像が再現された印刷物ＰＭが得られる。なお、印刷機２２０が、ＣＴＣ装置構成である場合には、ＲＩＰ２０６からＣＭＹＫ各ドットパターンデータが直接通信により供給され、版胴に巻かれている印刷版材が露光記録・現像され、直接、刷版ＰＰとされる。
【００６５】
図９〜図１１は、ＲＩＰ２０６の出力例を示している。
【００６６】
図９〜図１１において、ＢｌａｃｋはＫ色版スクリーン、ＹｅｌｌｏｗはＹ色版スクリーン、ＭａｇｅｎｄａはＭ色版スクリーン、ＣｙａｎはＣ色版スクリーン、Ｇｒａｙは、ＣＭＹＫ色版を重畳したカラー画像を示している。ＣＭＹＫ各版の網％は、全て３０［％］であり、入力した画像データの階調ｎは、全て２５６階調である。また、全てモノクロ表示（表示には、印刷物上の画像又はディスプレイ上のシミュレーション画像が含まれる。）であるので、このモノクロ表示での見た目とカラー表示での見た目の評価（効果）は異なるが、ここで述べる評価はカラー表示で見た目の評価である。
【００６７】
図９に示す比較例１では、ＣＭＹＫ色版のスクリーンとして高解像度（パターン周波数が約１８［ｃ／ｍｍ］）のＦＭスクリーンを使用している。出力条件によってはカラー画像上で、Ｋ色版のざらつき、ムラが目立つ場合がある。
【００６８】
図９に示す実施例１では、比較例１中、視感度の低いＣＭＹ色版に比較して視感度の高いＫ色版に、線数の低い（解像度の粗い）１７５［ＬＰＩ］、網角度４５度のＡＭスクリーンを使用している。カラー画像上でざらつき、ムラ、モアレが認められなかった。カラー画像は、高精細、高彩度である。
【００６９】
図１０には、図９の比較例１を再掲している。
【００７０】
図１０に示す実施例２では、比較例１中、視感度の低いＣＭＹ色版に比較して視感度の高いＫ色版に、低めの線数（解像度が粗い）３００［ＬＰＩ］、網角度８２．５度のＡＭスクリーンを使用している。この場合にも、カラー画像上でざらつき、ムラ、モアレが認められなかった。カラー画像は、高精細、高彩度である。
【００７１】
図１０に示す実施例３では、比較例１中、ＣＭＹ色版に比較して視感度の高いＫ色版に解像度の粗いパターン周波数が約１２［ｃ／ｍｍ］のＦＭスクリーンを使用している。この場合にも、カラー画像上でムラ、モアレが認められなかった。カラー画像は、高精細、高彩度である。
【００７２】
図１１に示す比較例２では、ＣＭＹＫ色版のスクリーンとして全て３５０［ＬＰＩ］の高精細ＡＭスクリーンを使用している。印刷条件によっては、Ｋ色版でムラが目立つ場合がある。なお、網角度は、Ｃ色版＝１５゜、Ｍ色版＝４５゜、Ｙ色版＝０゜、Ｋ色版＝７５゜である。
【００７３】
この比較例２では、特開２００２−３６９０１７号公報で規定しているように、少なくともＣＭＫ色版の網角度が、非有理正接となっている。そして、ＣＭＫ色版中の２版を重畳させて生じるモアレの周期及び角度が、ＣＭＫ色版の残りの１版のスクリーン線数及び網角度に実質的に一致するよう、ＣＭＫ色版のスクリーン線数及び網角度を設定している。そして、さらに、ＣＭＫ色版の３版のスクリーン線数をｄ１、ｄ２、ｄ３とし、網角度をθ１、θ２、θ３（θ１＜θ３＜θ２）として、
ｄ３・ｃｏｓθ３＝ｄ１・ｃｏｓθ１−ｄ２・ｃｏｓθ２
ｄ３・ｓｉｎθ３＝ｄ２・ｓｉｎθ２−ｄ１・ｓｉｎθ１
となる関係に設定してある。
【００７４】
実施例４のＫ色版のスクリーン線数は、比較例２のＫ色版のスクリーン線数３５０［ＬＰＩ］に比較して、スクリーン線数が１７５［ＬＰＩ］と粗くなっている。このとき、上式から計算される比較例２のＫ色版の線数と網角度をｄｋ、θｋとすると、実施例４のＫ色版のスクリーン線数、角度は、ｄｋ／Ｌ、θｋと設定する(実施例４では、Ｌ＝２の場合である。)。
【００７５】
このように、図１１に示す実施例４では、比較例２中、他のＣＭＹ色版の線数・解像度に比較して視感度の高いＫ色版に線数が１７５［ＬＰＩ］と低い（解像度の粗い）ＡＭスクリーンを使用しているので、ざらつき、ムラが認められなかった。
【図面の簡単な説明】
【００７６】
【図１】人間の目が光りを見たときに感じる感度（視感度）を正規化した分光視感効率の説明図である。
【図２】各色の分光スペクトル（反射率）の説明図である。
【図３】２×２画素ＦＭスクリーンの網パーセントが５％、５０％のドットパターンと、３×３画素ＦＭスクリーンの網パーセントが５０％のドットパターンを示す説明図である。
【図４】２×２画素ＦＭスクリーンの網パーセントが５０％のドットパターンに対してＦＦＴをかけたときのパワー図である。
【図５】３×３画素ＦＭスクリーンの網パーセントが５０％のドットパターンに対してＦＦＴをかけたときのパワー図である。
【図６】図６Ａは、小ドットの周囲長の説明に供される説明図である。図６Ｂは、図６Ａと同一網パーセントの大ドットの周囲長の説明に供される説明図である。
【図７】スクリーン線数に対する高線数化の効果と、印刷の難易を定性的に説明する説明図である。
【図８】印刷・製版システムを示すブロック図である。
【図９】比較例１と実施例１のスクリーンを示す説明図である。
【図１０】比較例１と実施例２、３のスクリーンを示す説明図である。
【図１１】比較例２と実施例４のスクリーンを示す説明図である。
【符号の説明】
【００７７】
１０…分光視感効率（視感度特性）
１、２、３、４、１００、１０４…ドットパターン
５、６…パターン周波数                １０２…１×１画素ドット
１０６…２×２画素ドット              ２００…印刷・製版システム
２０４…製版入力機                    ２０５…パーソナルコンピュータ
２０６…ＲＩＰ（ラスタイメージプロセッサ）
２１０…ＤＤＣＰ                      ２１２…マガジン
２１４Ｋ…Ｋ色版印刷部                ２１４Ｃ…Ｃ色版印刷部
２１４Ｍ…Ｍ色版印刷部                ２１４Ｙ…Ｙ色版印刷部
２１６…印刷用紙供給部                ２２０…印刷機
２２６…露光ユニット                  ２２８…自動現像機
２３０ｃ１…カラーインクジェットプリンタ
２３０ｃ２…カラー電子写真プリンタ
【図１】
0004688652.tif 000002
【図２】
0004688652.tif 000003
【図３】
0004688652.tif 000004
【図４】
0004688652.tif 000005
【図５】
0004688652.tif 000006
【図６】
0004688652.tif 000007
【図７】
0004688652.tif 000008
【図８】
0004688652.tif 000009
【図９】
0004688652.tif 000010
【図１０】
0004688652.tif 000011
【図１１】
0004688652.tif 000012